(57)【要約】【課題】表示性能を維持しつつ、簡易な構成により部品点数や組付工数を削減してコストを低減することができる表示器を提供する。【解決手段】ＬＥＤ１２１からの光を受けて発光し各種情報を表示する表示パネル１０１を備えた表示器１００において、表示パネル１０１が、ＬＥＤ１２１からの光が背面より入射し内部を透過して表面より出射する透光性材質から形成され、表示パネル１０１の背面に、ＬＥＤ１２１からの光によって表示する表記情報が直接印刷されている。【選択図】図１
2018036907.tif 000002
【特許請求の範囲】
【請求項１】
光源からの光を受けて発光し各種情報を表示する表示パネルを備えた表示器において、
前記表示パネルは、前記光源からの光が背面より入射し内部を透過して正面より出射する透光性材質から形成され、
前記表示パネルの背面に、前記光源からの光によって表示する表記情報が直接印刷されたことを特徴とする表示器。
【請求項２】
前記表示パネルの背面における印刷では、遮光性インクが乗る画線部と乗らない非画線部との境界によって前記表記情報の形が象られたことを特徴とする請求項１に記載の表示器。
【請求項３】
前記表示パネルの背面には、前記遮光性インクの下層に重なり前記画線部と前記非画線部との境界を少なくともなぞる下地として、前記光源の消灯時の前記画線部と前記非画線部との輝度の比を小さくする中性色インクが塗られたことを特徴とする請求項２に記載の表示器。
【請求項４】
前記表示パネルの背面には、前記遮光性インクの上層に重なり前記画線部を越えない範囲で、前記光源からの光を反射させる光反射性インクが塗られたことを特徴とする請求項３に記載の表示器。
【請求項５】
前記表示パネルの背面には、前記画線部および前記非画線部を含む全域で、前記光反射性インクの上層に重ねて、前記光源からの光を拡散させる光拡散性インクが塗られたことを特徴とする請求項４に記載の表示器。
【請求項６】
前記表示器は、歩行者用信号灯器に付帯する押ボタン箱に備えられ、
前記表示パネルは、前記押ボタン箱の前面部に開設された開口部に対して、前記前面部の裏側から合致させて取り付けられ、
前記表示パネルに表示する前記表記情報は、前記歩行者用信号灯器の作動ないし前記押ボタン箱の操作に関する文字であることを特徴とする請求項１，２，３，４または５に記載の表示器。
【請求項７】
前記表示パネルの正面の周囲と前記前面部の内壁との間に介装されるパッキンを備え、
前記パッキンは、前記表示パネルの正面側から被さるカバー状に形成され、前記前面部に対する取付時に予め前記表示パネルの正面の周囲に被せた状態に仮止め可能であることを特徴とする請求項６に記載の表示器。
【発明の詳細な説明】
【技術分野】
【０００１】
本発明は、光源からの光を受けて発光し各種情報を表示する表示パネルを備えた表示器に関する。
【背景技術】
【０００２】
従来より、この種の表示パネルを備えた表示器は様々な分野で活用されており、例えば歩行者用信号灯器に付設される押ボタン箱にも用いられている。本件出願人も、特許文献１，２に開示されたように、表示器を備えた押ボタン箱を既に提案している。かかる押ボタン箱における表示器は、図２１および図２２に示すように、他の一般的な押ボタン箱１の表示器と同様に構成されていた。
【０００３】
図２３に示すように、従来の押ボタン箱１は、その筐体２の前面ケース３に、表示器４の画面を裏側から合致させる開口部３ａが開設され、開口部３ａの両脇には、一対のネジ止め用のボス３ｂが突設されている。表示器４は、表示パネル４ａの正面が前記開口部３ａに合致する状態で、表示パネル４ａと本体４ｃの両側端がそれぞれネジ５によりボス３ｂに固定されていた。
【０００４】
図２４に示すように、表示器４は、表示パネル４ａの背面に重ねるフィルムに文字等を予め印刷した印刷シート４ｂも備えている。印刷シート４ｂは、文字部分のみが透明で光が透過するように印刷されており、ＬＥＤ基板４ｄにおけるＬＥＤ点灯時に、表示パネル４ａの正面が文字部分だけ光るように構成されていた。
【０００５】
また、表示パネル４ａの正面の周囲と前面ケース３内壁との間には、防水用のパッキン６が介装されていた。パッキン６は、表示パネル４ａの正面の周囲に沿う枠形状に切り抜かれたシート状であり、表示器４をネジ５で固定する際に、前面ケース３の開口部３ａの周囲に両面テープで予め取り付けられていた。
【先行技術文献】
【特許文献】
【０００６】
【特許文献１】意匠登録第１５１４９０９号公報
【特許文献２】意匠登録第１５１８４６９号公報
【発明の概要】
【発明が解決しようとする課題】
【０００７】
しかしながら、前述した従来の押ボタン箱１おける表示器４では、表示パネル４ａと別体の印刷シート４ｂが必要であった。そのため、部品点数や組付工数が多く、コストアップの要因となる虞があり、さらなるコスト低減のための改良が望まれていた。  
【０００８】
さらに、防水用のパッキン６は、前面ケース３の開口部３ａの周囲に対して両面テープで予め取り付けておく必要があった。そのため、いっそう組付工数が増大するばかりでなく、装着性が良くないため、さらなる装着性の向上のための改良も望まれていた。
【０００９】
本発明は、以上のような従来の技術の有する問題点に着目してなされたものであり、表示性能を維持しつつ、簡易な構成により部品点数や組付工数を削減してコスト低減が可能となり、また、パッキンに関する装着性も向上させることができる表示器を提供することを目的とする。
【課題を解決するための手段】
【００１０】
前述した目的を達成するための本発明の要旨とするところは、以下の各項の発明に存する。  
［１］光源（１２０）からの光を受けて発光し各種情報を表示する表示パネル（１０１）を備えた表示器（１００）において、
前記表示パネル（１０１）は、前記光源（１２０）からの光が背面より入射し内部を透過して正面より出射する透光性材質から形成され、
前記表示パネル（１０１）の背面に、前記光源（１２０）からの光によって表示する表記情報が直接印刷されたことを特徴とする表示器（１００）。
【００１１】
［２］前記表示パネル（１０１）の背面における印刷では、遮光性インク（１０５）が乗る画線部と乗らない非画線部との境界によって前記表記情報の形が象られたことを特徴とする前記［１］に記載の表示器（１００）。
【００１２】
［３］前記表示パネル（１０１）の背面には、前記遮光性インク（１０５）の下層に重なり前記画線部と前記非画線部との境界を少なくともなぞる下地として、前記光源（１２０）の消灯時の前記画線部と前記非画線部との輝度の比を小さくする中性色インク（１０４）が塗られたことを特徴とする前記［２］に記載の表示器（１００）。
【００１３】
［４］前記表示パネル（１０１）の背面には、前記遮光性インク（１０５）の上層に重なり前記画線部を越えない範囲で、前記光源（１２０）からの光を反射させる光反射性インク（１０６）が塗られたことを特徴とする前記［３］に記載の表示器（１００）。
【００１４】
［５］前記表示パネル（１０１）の背面には、前記画線部および前記非画線部を含む全域で、前記光反射性インク（１０６）の上層に重ねて、前記光源（１２０）からの光を拡散させる光拡散性インク（１０７）が塗られたことを特徴とする前記［４］に記載の表示器（１００）。
【００１５】
［６］前記表示器（１００）は、歩行者用信号灯器に付帯する押ボタン箱（１０）に備えられ、
前記表示パネル（１０１）は、前記押ボタン箱（１０）の前面部（３０）に開設された開口部（３１）に対して、前記前面部（３０）の裏側から合致させて取り付けられ、
前記表示パネル（１０１）に表示する前記表記情報は、前記歩行者用信号灯器の作動ないし前記押ボタン箱（１０）の操作に関する文字であることを特徴とする前記［１］，［２］，［３］，［４］または［５］に記載の表示器（１００）。
【００１６】
［７］前記表示パネル（１０１）の正面の周囲と前記前面部（３０）の内壁との間に介装されるパッキン（１３０）を備え、
前記パッキン（１３０）は、前記表示パネル（１０１）の正面側から被さるカバー状に形成され、前記前面部（３０）に対する取付時に予め前記表示パネル（１０１）の正面の周囲に被せた状態に仮止め可能であることを特徴とする前記［６］に記載の表示器（１００）。
【００１７】
次に、前述した解決手段に基づく作用を説明する。  
前記［１］に記載の表示器（１００）によれば、透光性材質から形成された表示パネル（１０１）の背面に、光源（１２０）からの光により表示する表記情報を直接印刷する。これにより、従来は表示パネル（１０１）と別部品であった印刷シートを不要とし、表示器（１００）の部品点数や組付工数が削減される。また、表示パネル（１０１）自体に印刷した表記情報は位置ずれする虞もなく、従来の表示器（１００）と同等以上の表示性能を維持しつつ、取り付け易さも向上させることができる。
【００１８】
前記［２］に記載の表示器（１００）によれば、表示パネル（１０１）の背面における印刷では、遮光性インク（１０５）が乗る画線部と乗らない非画線部との境界によって前記表記情報の形を象る。これにより、光源（１２０）からの光が表示パネル（１０１）の背面より入射すると、画線部では光の透過が遮られて、表記情報の形を視認可能に表示することができる。
【００１９】
ここで画線部と非画線部とは、例えば、光源（１２０）の点灯時に表記情報の部分のみが光るように、表記情報の部分を光が透過する非画線部として、他の部分を光が透過しない画線部とすれば良い。かかる場合、表記情報のみが鮮明に浮かび上がるように表示することができる。逆に、表記情報の部分だけが光らないように、表記情報の部分を画線部として、他の部分を非画線部としても構わない。
【００２０】
前記［３］に記載の表示器（１００）によれば、表示パネル（１０１）の背面に、前記遮光性インク（１０５）の下層に重なり画線部と非画線部との境界を少なくともなぞる下地として、光源（１２０）の消灯時の画線部と非画線部との輝度の比を小さくする中性色インク（１０４）を塗る。
【００２１】
これにより、光源（１２０）の消灯時には、画線部と非画線部との境界における両者のコントラスト比が、この境界を覆う中性色インク（１０４）によって小さく抑えられる。そのため、画線部と非画線部の境界線が目立たなくなり、表記情報を表示しない消灯時には、表示パネル（１０１）の表面から表記情報が見え難くなり、誤認知を防ぐことができる。
【００２２】
前記［４］に記載の表示器（１００）によれば、表示パネル（１０１）の背面に、前記遮光性インク（１０５）の上層に重なり前記画線部を越えない範囲で、光源（１２０）からの光を反射させる光反射性インク（１０６）を塗る。これにより、光源（１２０）の点灯時に、表示パネル（１０１）の背面で光を透過させる非画線部以外の画線部では、光源（１２０）からの光は背面側へ反射され、この反射光を再び表示パネル（１０１）の背面に入射するようにすれば、光源（１２０）からの光を無駄なく使用することができる。
【００２３】
前記［５］に記載の表示器（１００）によれば、表示パネル（１０１）の背面に、前記画線部および前記非画線部を含む全域で、前記光反射性インク（１０６）の上層に重ねて、光源（１２０）からの光を拡散させる光拡散性インク（１０７）を塗る。これにより、表示パネル（１０１）の背面における印刷の最上層にて、入射した光がなるべく均等になるように拡散させることができる。また、表示パネル（１０１）の表面側から、その奥にある光源（１２０）が透けて見えることを防いで、表示器（１００）の外観品質を向上させることができる。
【００２４】
以上のような表示器（１００）は、具体的には例えば前記［６］に記載したように、歩行者用信号灯器に付帯する押ボタン箱（１０）に適用することができる。押ボタン箱（１０）の前面部（３０）には開口部（３１）が開設され、前記表示パネル（１０１）は、前記開口部（３１）を前面部（３０）の裏側から塞ぐように合致させて取り付けられる。表示パネル（１０１）に表示する表記情報は、歩行者用信号灯器の作動ないし前記押ボタン箱（１０）の操作に関する文字とすることで、歩行者を支援することができる。
【００２５】
また、前記［７］に記載の表示器（１００）によれば、前記表示パネル（１０１）の正面と前記押ボタン箱（１０）の前面部（３０）の内壁との間にパッキン（１３０）が介装され、取付箇所における防水性が保たれる。このパッキン（１３０）は、表示パネル（１０１）の正面側から被さるカバー状に形成され、前記前面部（３０）に対する取付時に予め表示パネル（１０１）の正面の周囲に被せた状態に仮止めすることができる。
【００２６】
これにより、従来のパッキン（６）（図２３参照）のように、前面ケース（３０）の開口部（３１）の周囲に対して両面テープで予め取り付けておく必要がなく、パッキン（１３０）の装着性を向上させることができる。よって、いっそう簡易かつ迅速にパッキン（１３０）を含めて表示器（１００）を取り付けることができる。
【発明の効果】
【００２７】
本発明に係る表示器によれば、表示性能を維持しつつ、簡易な構成により部品点数や組付工数が削減されて、コスト低減を実現することができる。また、表示器は、押ボタン箱に適用することができ、表示パネルの正面の周囲を覆うパッキンの装着性も向上させることができる。
【図面の簡単な説明】
【００２８】
【図１】本発明の実施の形態に係る表示器を前面ケースに取り付ける状態を後側から見た分解斜視図である。
【図２】本発明の実施の形態に係る表示器を前面ケースに取り付ける状態を前側から見た分解斜視図である。
【図３】本発明の実施の形態に係る表示器の表示パネルを示す正面図である。
【図４】本発明の実施の形態に係る表示器の表示パネルを示す背面図である。
【図５】本発明の実施の形態に係る表示器の表示パネルを示す側面図である。
【図６】本発明の実施の形態に係る表示器の表示パネルを示す斜視図である。
【図７】本発明の実施の形態に係る表示器の表示パネルの印刷を示す背面図である。
【図８】本発明の実施の形態に係る表示器の表示パネルの印刷を模式的に示す説明図である。
【図９】本発明の実施の形態に係る表示器の本体を示す正面図である。
【図１０】本発明の実施の形態に係る表示器の本体を示す背面図である。
【図１１】本発明の実施の形態に係る表示器の本体を示す側面図である。
【図１２】図１０のXII−XII線の拡大断面図である。
【図１３】本発明の実施の形態に係る表示器のＬＥＤ基板を示す正面図である。
【図１４】本発明の実施の形態に係る表示器のＬＥＤ基板を示す底面図である。
【図１５】本発明の実施の形態に係る表示器のパッキンを示す正面図である。
【図１６】本発明の実施の形態に係る表示器のパッキンを示す背面図である。
【図１７】本発明の実施の形態に係る表示器のパッキンを示す側面図である。
【図１８】図１６のXVIII−XVIII線の拡大断面図である。
【図１９】本発明の実施の形態に係る表示器の取付手順の前半を示す説明図である。
【図２０】本発明の実施の形態に係る表示器の取付手順の後半を示す説明図である。
【図２１】本発明の実施の形態に係る表示器を取り付ける押ボタン箱を示す斜視図である。
【図２２】本発明の実施の形態に係る表示器を取り付ける押ボタン箱の変形例を示す斜視図である。
【図２３】従来の表示器を前面ケースに取り付ける状態を後側から見た分解斜視図である。
【図２４】従来の表示器を背面側から見た分解斜視図である。
【発明を実施するための形態】
【００２９】
以下、図面に基づき、本発明を代表する実施の形態を説明する。
図１〜図２２は、本発明の実施の形態を示している。
本実施の形態に係る表示器１００は、光源からの光を受けて発光し各種情報を表示する表示パネル１０１を備えたものである。以下、表示器１００を、歩行者用信号灯器に付帯する押ボタン箱１０に適用した例について説明する。
【００３０】
押ボタン箱１０は、歩行者用信号灯器における作動を指示するものである。ここで歩行者用信号灯器は、図示省略したが一般道路の交差点等に設置された各車両用信号灯器に、それぞれ対応して横断歩道の両端等に設置される。押ボタン箱１０は、歩行者用信号灯器ごとに近くの電信柱等の支持体に固定される。押ボタン箱１０の前面部に、歩行者用信号灯器の作動ないし押ボタン箱の操作に関する各種情報を表示する表示器１００が設けられている。
【００３１】
押ボタン箱１０は、図２１に示すように、各種構成部品を収納する筐体１１を本体とする。筐体１１は、その背面側を含み前面側が開口したベース本体２０と、該ベース本体２０の開口を前方から覆うように組み合わされた前面ケース３０とから成る。ベース本体２０や前面ケース３０は、例えばポリカーボネート等の樹脂材料から成形されている。前面ケース３０は筐体１１の前面部となり、その略中央にスイッチ（押ボタン）４０が設けられ、スイッチ４０の上方に表示器１００が設けられている。
【００３２】
図１，図２に示すように、前面ケース３０の上部には、表示器１００の表示パネル１０１の正面を裏側から合致させる開口部３１が開設されている。開口部３１は、表示器１００の表示パネル１０１よりも一回り小さい横長矩形に開設されている。前面ケース３０の裏側で開口部３１の周縁には、表示パネル１０１の正面の周縁がパッキン１３０を介して当接する。前面ケース３０の裏側で開口部３１の周囲には、表示器１００を固定するための後述の取付構造が備わっている。
【００３３】
表示器１００は、ディスプレイである表示パネル１０１と、該表示パネル１０１を背面側から支える本体１１０と、光源であるＬＥＤ基板１２０と、を備えている。図３〜図７に示すように、表示パネル１０１は、正面視で両側方向に延びる横長矩形であり、例えばポリカーボネート等の透光性材質から所定の厚さの板状に形成されている。ここで透光性材質とは、光の透過率が極めて高い透明な材質だけでなく、透明よりも光の透過率が低いものも含まれる。
【００３４】
表示パネル１０１の上端縁の両側の角隅は、上下の方向性を認知させるために切り欠かれている。また、表示パネル１０１の上端縁の一端側には、上方に突出した位置決め片１０２が設けられている。さらに、表示パネル１０１の両側端には、それぞれ中央に向かって半円形に凹む一対の溝部１０３，１０３が設けられている。これら位置決め片１０２や溝部１０３について詳しくは後述する。
【００３５】
図６に示すように、表示パネル１０１の正面は、そのまま表示器１００の画面となり、表示パネル１０１の背面には、光源であるＬＥＤ基板１２０（図１参照）からの光によって表示する表記情報が直接印刷されている。ここで表記情報とは、表示パネル１０１の正面に表示する各種情報のうち、予め定められて記された文字等である。例えば、本実施の形態における表記情報は、歩行者用信号灯器の赤色点灯に応じて歩行者に待機を指示する「おまちください」の文字である。なお、表示器１００の画面とは、表示パネル１０１の正面を指すものとする。
【００３６】
表示パネル１０１の背面における表記情報の印刷は、例えば、孔版をスクリーンとして表示パネル１０１の背面を覆い、孔からインクを付けて印刷するシルク印刷が好適である。図７に示すように、表示パネル１０１の背面には、表記情報である文字の形（以下「文字部分」とする）のみ光が透過し、他の部分（図中の斜線ハッチング）は光が透過しないように、他の部分に遮光性インク１０５が塗られている。遮光性インク１０５は、例えば黒色インクが該当する。
【００３７】
このように、表示パネル１０１の背面における印刷は、遮光性インク１０５が乗る画線部と、遮光性インク１０５が乗らない非画線部との境界によって、文字部分が象られている。本実施の形態では、文字部分のみ光るように、この文字部分を光が透過する非画線部とし、他の部分を光が透過しない画線部としている。かかる場合、文字部分のみが光って浮かび上がるように表示することができる。
【００３８】
また、図８に示すように、表示パネル１０１の背面には、前記遮光性インク１０５の下層に重なり画線部と非画線部との境界を少なくともなぞる下地として、ＬＥＤ１２１の消灯時の画線部と非画線部との輝度の比を小さくする中性色インク１０４も塗られている。中性色インク１０４は、遮光性インク１０５と表示パネル１０１自体の地色との中間の色彩であって、ある程度光が透過するものが好ましい。例えば、表示パネル１０１が、ブルースモークと称される光透過率が２０％程度の青味がかった黒っぽい色の透光性材質である場合、遮光性インク１０５が黒色インクであれば、中性色インク１０４は、灰色インクが該当する。
【００３９】
中性色インク１０４は、遮光性インク１０５が塗られた画線部の全ての領域に重ねる必要はなく、少なくとも画線部と非画線部との境界をなぞる範囲で下地となれば足りる。ただし、中性色インク１０４が画線部の領域を越えて非画線部の領域まではみ出す幅は、印刷技術上可能な限り小さいほど、点灯時に画線部と非画線部との境界がぼやけることを防ぐことができる。なお、図８では、中性色インク１０４を、遮光性インク１０５よりも文字部分側へはみ出すように誇張しているが、実際のオフセット間の隙間（図８中でＬ）は、印刷技術上０．２ｍｍ程度となる。
【００４０】
また、表示パネル１０１の背面には、遮光性インク１０５の上層（図８中では下側）に重なり画線部を越えない範囲で、ＬＥＤ基板１２０からの光を反射させる光反射性インク１０６が塗られている。光反射性インク１０６は、例えば白色インクが該当する。
さらに、表示パネル１０１の背面には、画線部および非画線部を含む全域で、光反射性インク１０６の上層に重ねて、ＬＥＤ基板１２０からの光を拡散させる光拡散性インク１０７が塗られている。光拡散性インク１０７は、例えばシリコンパウダー等の光拡散顔料を含むインクである。
【００４１】
図９〜図１２に示すように、本体１１０は、前記表示パネル１０１の背面に合致する形状の正面壁部１１１と、この正面壁部１１１の周囲を残して背面側に窪むように設けられた光反射面部１１３と、該光反射面部１１３の上端側でＬＥＤ基板１２０を表示パネル１０１の正面と垂直となる略水平に取り付ける基板取付部１１４とを備えている。本体１１０は、例えばポリカーボネート等の樹脂材料から形成されている。
【００４２】
正面壁部１１１は、前記表示パネル１０１と同様に、正面視で両側方向に延びる横長矩形であり、その上端縁の両側の角隅は、表示パネル１０１に合わせて上下の方向性を認知させるために切り欠かれている。正面壁部１１１の外周縁に沿って、所定幅で前方へ延出するフランジ１１２が設けられ、本体１１０は、表示パネル１０１が背面側から収まる底浅なケース状をなしている。正面壁部１１１には、表示パネル１０１の正面のうち前記表記情報を囲む表示領域を背面側から縁取る横長矩形の開口部１１１ａが設けられている。光反射面部１１３は、開口部１１１ａの内側で背面側に窪むように設けられている。
【００４３】
正面壁部１１１の上端縁に沿ったフランジ１１２の一端側には、位置決め切欠１１２ａが設けられている。この位置決め切欠１１２ａは、前記表示パネル１０１の上端縁の一端側にある位置決め片１０２が合致することで、本体１１０に対する表示パネル１０１の表裏が逆向きになることを防ぐための位置決めである。また、正面壁部１１１の両側端には、前記表示パネル１０１にある溝部１０３に合致するように、それぞれフランジ１１２も含め中央側に半円形に凹む一対の溝部１１５が設けられている。
【００４４】
また、正面壁部１１１の上端縁と下端縁に沿った上下のフランジ１１２の先端縁には、両側方向に間隔をおいて並び、横長直線状で前方へ突出した複数の押さえリブ１１６が設けられている。各押さえリブ１１６は、後述するパッキン１３０にあるスリット１３４に嵌合して位置ずれを防止するための部位である。さらに、正面壁部１１１の下端縁に沿って、フランジ１１２とは逆向きの後方へ所定幅で延出する補強板１１７が設けられている。補強板１１７の上面と、次述する光反射面部１１３の背面壁との間には、両側方向に間隔をおいて並び、それぞれ上下間に連なる複数の補強リブ１１８も設けられている。
【００４５】
光反射面部１１３は、後述の基板取付部１１４の後端側より下方へ湾曲して延びる断面形状をなしており、その下端は前記開口部１１１ａの下辺に連なっている。光反射面部１１３における反射面の具体的な形状は、その上端より下方へ照射される後述のＬＥＤ１２１からの直接光を、主に垂直方向へ配光制御するように設計されている。
【００４６】
すなわち、光反射面部１１３の反射面は、ＬＥＤ１２１に近い表示パネル１０１の上部だけでなく、ＬＥＤ１２１から遠い表示パネル１０１の下部にも集光させて明るくする放物面形状となっている。これにより、表示パネル１０１に表示する文字（表記情報）の均斉度を向上させ、文字の上部と下部の明るさの差を少なくすることができ、文字が読みやすくなる。また、長期使用によってＬＥＤ１２１の光束維持率（明るさ）が低下しても、文字の下部の視認性を維持することができる。
【００４７】
また、光反射面部１１３の反射面は、ＬＥＤ１２１からの光を水平方向へも配光制御するように設計しても良い。光反射面部１１３における水平方向への配光は、後述のＬＥＤ基板１２０上にＬＥＤ１２１を狭い間隔で配置することでも行えるが（配光無制御）、水平方向へも反射面自体で配光制御する設計とすれば、使用するＬＥＤ１２１の数を減らすことも可能となる。さらに、反射面は一般に白色塗料で拡散反射とするが、鏡面（蒸着面）にすれば、いっそう容易に配光制御を行うことが可能となり、表示パネル１０１の下部まで光を十分に配光させることができる。
【００４８】
図９〜図１２に示すように、基板取付部１１４は、正面壁部１１１の背面側で、開口部１１１ａの上辺より後方へ所定幅で水平に延出する台座状に形成されている。基板取付部１１４に取り付けられたＬＥＤ基板１２０は、ＬＥＤ１２１のある下面が正面壁部１１１の背面側で表示パネル１０１の背面と直交し、光反射面部１１３に対して上方向から光を照射するように配置されている。なお、光反射面部１１３に対するＬＥＤ基板１２０の取り付けの詳細は後述する。
【００４９】
図１３，図１４に示すように、ＬＥＤ基板１２０は、両側方向に沿って細幅に延びる横長矩形であり、その下面に表面実装型のチップ状のＬＥＤ１２１が所定間隔おきに複数配置されている。ＬＥＤ１２１は、一般的であるので詳細な説明は省略するが、ＬＥＤ基板１２０の下面に対して直交する光軸を中心に所定角度の放射範囲で光を出射するタイプが用いられる。ＬＥＤ１２１の発光色は任意に選択できる。ＬＥＤ基板１２０は、その下面が実装面であり、ＬＥＤ１２１、その配線回路や抵抗の他、コネクタ１２２等が配置されている。
【００５０】
ＬＥＤ基板１２０におけるＬＥＤ１２１等の関連部品の配置は、下面だけに集中した片面実装となっている。また、各ＬＥＤ１２１の具体的な配置は、互いに均等に並ぶ状態に限られることなく、例えば光反射面部１１３の両端部における輝度低下を防ぐために、ＬＥＤ基板１２０の両端部に若干寄せた配置としても良い。なお、ＬＥＤ１２１には、例えばコーティング剤を塗布する等の硫化（ガス）対策を施すと良い。
【００５１】
ＬＥＤ基板１２０を前記本体１１０の基板取付部１１４に取り付けるには、スナップフィットによる係合が用いられている。すなわち、図１，図１２に示すように、基板取付部１１４の前端側が連なる正面壁部１１１の背面側上部には、ＬＥＤ基板１２０の前端縁を沿わせた際に係止できる引掛爪１１１ｂが設けられている。一方、引掛爪１１１ｂと対向する基板取付部１１４の後端側には、断面Ｌ字形で上向きの突片１１４ａが設けられており、この突片１１４ａの略中央に、スナップフィットによりＬＥＤ基板１２０の後端縁にある切欠溝１２３に係合する係止爪１１４ｂが設けられている。
【００５２】
ＬＥＤ基板１２０の前端縁を、基板取付部１１４の前端側に向けて斜め下方に傾けながら引掛爪１１１ｂに係止した後、この前端縁を支点として後端縁を下方へ押し込む。すると、ＬＥＤ基板１２０の後端縁の切欠溝１２３に対して、基板取付部１１４の後端側の係止爪１１４ｂが噛み合ってスナップフィットにより係合し、ＬＥＤ基板１２０は基板取付部１１４に固定される。なお、ＬＥＤ基板１２０を外す時は、係止爪１１４ｂを内側から押して切欠溝１２３から離脱させれば良い。
【００５３】
また、ＬＥＤ基板１２０の前端縁の一端には、基板取付部１１４の前端側にある位置決め突起１１４ｃに係合することで、ＬＥＤ基板１２０の前後の正しい取り付け向きに規制する位置決め切欠１２４が設けられている。なお、図１０示すように、基板取付部１１４の前端側が連なる正面壁部１１１の背面側上部には、互いに間隔をあけて上下方向に延びる突条のリブ１１１ｃが２箇所に設けられている。各リブ１１１ｃに対してＬＥＤ基板１２０の前端縁が当接することで、この前端縁の両端の角がＬＥＤ基板１２０の前端縁の両端のアール面に干渉することを避けることができる。
【００５４】
以上のＬＥＤ基板１２０の取付構造によれば、ＬＥＤ１２１からの照射光は、本体１１０の光反射面部１１３によって表示パネル１０１の背面側より前方へ反射される。表示パネル１０１では、文字部分のみに光が透過するため、文字の形に光って見えることになる。なお、表示器１００で表示する表記情報は、図１，図２１に示した例では、歩行者に待機を指示する「おまちください」の文字だが、他に「おしてください」、「ふれてください」等のスイッチ操作を促す文字等であっても良く、様々な各種情報を表示することができる。
【００５５】
図１，図２に示すように、表示器１００は、表示パネル１０１の正面の周囲と前面ケース３０の内壁との間に介装されて防水性を高めるパッキン１３０を備えている。図１５〜図１８に示すように、パッキン１３０は、表示パネル１０１の正面から被さるカバー状に形成され、予め表示パネル１０１の周囲に被せた状態に仮止め可能となっている。パッキン１３０は、表示パネル１０１の周囲に沿って被さる枠組状であり、例えばシリコンやブチルゴム等の弾性材質から形成されている。
【００５６】
パッキン１３０は、前記表示パネル１０１の正面に合致する形状の正面壁部１３１を備えている。正面壁部１３１は、前記表示パネル１０１と同様に、正面視で両側方向に延びる横長矩形であり、その上端縁の両側の角隅は、表示パネル１０１に合わせて上下の方向性を認知させるために切り欠かれている。正面壁部１３１の外周縁に沿って、所定幅で後方へ延出するフランジ１３２が設けられ、表示パネル１０１の正面側から被さるカバー状となっている。ここでフランジ１３２が周回方向で折れ曲がる角隅には、表示パネル１０１を収めた本体１１０の角隅に背面側より被さるストッパ片１３２ａが設けられている。
【００５７】
正面壁部１３１には、表示パネル１０１の正面のうち前記文字部分を囲む表示領域を正面側から縁取る横長矩形の開口部１３１ａが設けられている。また、パッキン１３０の両側端には、前記表示パネル１０１や本体１１０の溝部１０３等に合致するように、それぞれ中央側に半円形に凹む一対の溝部１３３が設けられている。また、正面壁部１３１の上端側と下端側には、両側方向に間隔おいて並ぶ複数の横長直線状のスリット１３４が設けられている。各スリット１３４は、前述した本体１１０の正面壁部１１１にある押さえリブ１１６が嵌合して、互いの位置ずれを防止するものである。
【００５８】
また、正面壁部１３１の正面側には、開口部１３１ａを縁取るように周回する水切り山であるリップ１３５が設けられている。同様に、パッキン１３０の背面側にも、開口部１３１ａを縁取るように周回する水切り山であるリップ１３６が設けられている。表示器１００の取付時に、正面側のリップ１３５は、前面ケース３０の内壁と線接触して、前面ケース３０とパッキン１３０との間の防水性を高める。また、背面側のリップ１３６は、表示パネル１０１の正面と線接触して、表示パネル１０１とパッキン１３０との間の防水性を高める。
【００５９】
次に、押ボタン箱１０における表示器１００の作用について説明する。  
本表示器１００によれば、図７に示すように、透光性材質からなる表示パネル１０１の背面に、表記情報である文字を直接印刷する。これにより、図２４に示すように、従来は表示パネル４ａと別部品であった印刷シート４ｂが不要となり、表示器１００の部品点数や組付工数が削減される。また、表示パネル１０１自体に印刷した文字は、印刷シート４ｂの場合のように位置ずれする虞もなく、従来の押ボタン箱１における表示器４と同等以上の表示性能を維持しつつ、取り付け易さも向上させることができる。
【００６０】
図８に示すように、表示パネル１０１の背面における印刷は、例えばシルク印刷が好適であり、基本的には、遮光性インク１０５が乗る画線部と、遮光性インク１０５が乗らない非画線部との境界によって、文字部分の形を象る。これにより、ＬＥＤ基板１２０からの光が本体１１０の光反射面部１１３によって反射され、この反射光が表示パネル１０１の背面より入射すると、画線部では光の透過が遮られて、文字の形を視認可能に表示することができる。
【００６１】
特に、本実施の形態では、図７に示すように、文字部分のみ光るように、この文字部分を光が透過する非画線部とし、他の部分を光が透過しない画線部としている。かかる場合、文字部分のみが光って鮮明に浮かび上がるように表示することができる。ここで文字部分以外の画線部では、光を透過させず全て背面の光反射面部１１３へ反射させる。
なお、逆の印刷パターンとして、表記情報を記した部分（文字部分）に遮光性インク１０５を塗って画線部とし、他の部分は何も塗らない状態で残すように印刷しても良い。要するに、画線部と非画線部とを反転させて、文字部分のみ光が透過しないで黒くなるように表示しても構わない。
【００６２】
また、表示パネル１０１の背面には、遮光性インク１０５の下層に重なり画線部と非画線部との境界を少なくともなぞる下地として、前述した中性色インク１０４も塗られている。これにより、ＬＥＤ１２１の消灯時には、画線部（遮光性インク１０５）と非画線部（表示パネル１０１の地色）との境界における両者のコントラスト比が、この境界を覆う中性色インク１０４によって小さく抑えられる。従って、画線部と非画線部の境界線が目立たなくなり、文字を表示しない消灯時は、表示パネル１０１の表面から文字が見え難く、誤認知を防ぐことができる。
【００６３】
また、表示パネル１０１の背面には、遮光性インク１０５の上層に重なり文字部分を越えない範囲で、ＬＥＤ１２１からの光を反射させる光反射性インク１０６が塗られている。これにより、ＬＥＤ１２１の点灯時に、表示パネル１０１の背面で光を透過させる文字部分（非画線部）以外の他の部分（画線部）では、ＬＥＤ１２１からの光は背面側へ反射され、この反射光が本体１１０の光反射面部１１３により反射されて、再び表示パネル１０１の背面に入射するので、ＬＥＤ１２１からの光を無駄なく使用することができる。
【００６４】
ここで光反射性インク１０６は、例えば前述した白色インクが該当し、印刷技術上可能であれば、遮光性インク１０５の上層でその画線部の形状にぴったり合致させることが好ましい。かかる印刷が難しければ、仮に光反射性インク１０６が画線部を越えてしまうと、画線部と非画線部との境界が曖昧となる虞があるため、印刷の誤差はあくまで画線部を越えない範囲に留めるようにする必要がある。
【００６５】
さらに、表示パネル１０１の背面には、画線部および非画線部を含む表示領域の全域で、光反射性インク１０６の上に重ねて、ＬＥＤ１２１からの光を拡散させる光拡散性インク１０７も塗られている。これにより、表示パネル１０１の背面における印刷の最上層にて、入射した光がなるべく均等になるように拡散させることができる。また、表示パネル１０１の表面側から、その奥上方にあるＬＥＤ基板１２０が透けて見えることを防ぎ、表示器１００の外観品質を向上させることができる。
【００６６】
以上のような表示器１００は、歩行者用信号灯器に付帯する押ボタン箱１０に適用される。押ボタン箱１０の前面ケース３０には開口部３１が開設されており、表示器１００は、前記開口部３１を前面ケース３０の裏側から表示パネル１０１で塞ぐように取り付けられる。表示パネル１０１に表示する表記情報は、歩行者用信号灯器の作動ないし前記押ボタン箱１０の操作に関する文字とすることで、歩行者を支援することができる。
【００６７】
次に、表示器１００を押ボタン箱１０の前面ケース３０に固定するための取付構造について説明する。図１に示すように、前面ケース３０の内壁にて開口部３１の両側には、表示器１００をネジ止めするための一対のボス３２，３２が突設されている。かかるボス３２は、図２３に示すように従来からある構成である。
【００６８】
前述したように、表示器１００の本体１１０の両側端には、該本体１１０を前面ケース３０の内壁の取り付け位置に沿わせる時に、ボス３２を回避するための溝部１１５が設けられている。同様に、表示パネル１０１やパッキン１３０にも、それぞれ両側端にボス３２を回避するための凹溝１０３，１３３が設けられている。なお、各溝部１１５等を、ボス３２が嵌合する円孔ではなく、半円形の溝とすることで、その分、表示器１００の横幅を小さくして全体的にコンパクトに設計している。
【００６９】
次に、図１９，図２０に基づき、表示器１００の具体的な取り付けの詳細について説明する。図１９（ａ）に示すように、表示パネル１０１を、その背面側から本体１１０の内側に嵌める。この時、表示パネル１０１の正面が表側となる状態でのみ、表示パネル１０１の位置決め片１０２が本体１１０の位置決め切欠１１２ａに合致するため、表示パネル１０１の表裏が逆向きになることを防ぐことができる。
【００７０】
続いて、図１９（ｂ）に示すように、パッキン１３０を、表示パネル１０１の正面側から装着する。パッキン１３０は、表示パネル１０１の正面から被さるカバー状であり、予め表示パネル１０１および本体１１０の正面壁部１１１の周囲に被せた状態に仮止めすることができる。特に、パッキン１３０のフランジ１３２の角隅にはストッパ片１３２ａがあり、各ストッパ片１３２ａが表示パネル１０１を収めた本体１１０の角隅に背面側より被さる。よって、パッキン１３０が表示パネル１０１から容易に離脱することはない。
【００７１】
これにより、従来のパッキン６（図２３参照）のように、表示器１００に対して両面テープで予め取り付けておく必要がなく、また、表示器１００を前面ケース３０にネジ止めする時に両面テープの位置がずれる虞もなく、パッキン１３０の装着性を向上させることができる。よって、いっそう簡易かつ迅速に、パッキン１３０を含めて表示器１００を筐体１１に固定することができる。
【００７２】
図１９（ｃ）に示すように、パッキン１３０が表示パネル１０１および本体１１０に装着された状態では、本体１１０の正面壁部１１１にある押さえリブ１１６が、パッキン１３０の正面壁部１３１にあるスリット１３４にそれぞれ嵌合している。これにより、本体１１０の正面壁部１１１とパッキン１３０の正面壁部１３１とが、水圧等の外力がかかっても互いに位置ずれすることを防止することができる。なお、押さえリブ１１６は、スリット１３４より突出しない寸法となっており、前面ケース３０の内壁とは干渉しない。
【００７３】
次いで、図１９（ｄ）に示すように、本体１１０の基板取付部１１４に、ＬＥＤ基板１２０を取り付ける。すなわち、図２０（ｅ）に示すように、ＬＥＤ基板１２０の前端縁を、基板取付部１１４の前端側に向けて斜め下方に傾けながら引掛爪１１１ｂに係止する。そして、ＬＥＤ基板１２０の前端縁を支点として後端縁を下方へ水平になるまで押し込む。すると、図２０（ｆ）に示すように、ＬＥＤ基板１２０の後端縁にある切欠溝１２３に対して、基板取付部１１４の後端側にある係止爪１１４ｂが噛み合ってスナップフィットにより係合し、ＬＥＤ基板１２０は基板取付部１１４に固定される。
【００７４】
このように、組み立てが完了した表示器１００は、図２０（ｇ）に示すように、押ボタン箱１０の前面ケース３０にある開口部３１に対して、前面ケース３０の裏側から表示パネル１０１を合致させる。この時、パッキン１３０、表示パネル１０１、それに本体１１０の両側端にそれぞれある凹溝１３３，１０３，１１５（図１参照）は、前面ケース３０にあるネジ止め用のボス３２に嵌合し、表示器１００の下端縁は、前面ケース３０の受け部３３に当接する。かかる状態で、表示器１００の両側端をネジ５で固定する。これにより、図２０（ｈ）に示すように、前面ケース３０への表示器１００の取り付けは完了する。
【００７５】
以上の表示器１００の取付構造によれば、押ボタン箱１０の前面ケース３０に確実かつ強固に固定することができる。ここで表示器１００は、前面ケース３０の開口部３１より表示パネル１０１の正面が外部に露出し、表示パネル１０１は背面側から本体１１０によって支えられている。表示パネル１０１の正面と前面ケース３０の内壁との間は、パッキン１３０によって防水性が保たれる。
【００７６】
また、表示器１００の本体１１０において、正面壁部１３１の上端側は、基板取付部１１４が補強用のリブ代わりとなり、ＬＥＤ基板１２０も取り付けられて、十分な強度が確保される。一方、正面壁部１３１の下端側には、これらの構成の代わりに、補強板１１７と補強リブ１１８が設けられており、同じく十分な強度が確保される。従って、前面ケース３０の開口部３１を通じて、外部から表示器１００に衝撃荷重が付与されても、ネジ止めされた正面壁部１３１の両側端に比べて取付強度が脆弱な正面壁部１３１の上下端側の中央付近でも変形を抑えることができる。
【００７７】
なお、押ボタン箱１０の内部には、図示省略したが制御基板も収納されており、この制御基板に格納された所定プログラムに従って、表示器１００の表示を含む押ボタン箱１０の各種機能は制御される。表示器１００は、例えば交通信号制御機から送出される表示駆動信号により点灯するように制御されるが、歩行者用信号灯器の作動に関する各種情報を表示可能に構成しても良い。
【００７８】
図１，図２に示すように、押ボタン箱１０の前面ケース３０には、上下に２つの開口部３１が設けられており、表示器１００は、上側の開口部３１に対して固定されている。下側の開口部３１は、図２１に示したように、表示板３５によって塞がれている。ただし、図２２に示したように、下側の開口部３１にも、もう一つの表示器１００を取り付けるように構成しても良い。
【００７９】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、表示器１００は、押ボタン箱１０に限定されることなく、他の様々に分野において活用することができる。また、表示器１００に表示する表記情報は、文字に限定されるものではなく、ヒストグラム等の図形や記号、これらと文字の組み合わせであっても良い。
【産業上の利用可能性】
【００８０】
本発明に係る表示器は、歩行者用信号灯器に付設される押ボタン箱の他にも、様々な分野で幅広く利用することができる。
【符号の説明】
【００８１】
１０…押ボタン箱
１１…筐体
２０…ベース本体
３０…前面ケース
３１…開口部
３２…ボス
１００…表示器
１０１…表示パネル
１０２…位置決め片
１０３…溝部
１０４…中性色インク
１０５…遮光性インク
１０６…光反射性インク
１０７…光拡散性インク
１１０…本体
１２０…ＬＥＤ基板
１３０…パッキン
【図１】
2018036907.tif 000003
【図２】
2018036907.tif 000004
【図３】
2018036907.tif 000005
【図４】
2018036907.tif 000006
【図５】
2018036907.tif 000007
【図６】
2018036907.tif 000008
【図７】
2018036907.tif 000009
【図８】
2018036907.tif 000010
【図９】
2018036907.tif 000011
【図１０】
2018036907.tif 000012
【図１１】
2018036907.tif 000013
【図１２】
2018036907.tif 000014
【図１３】
2018036907.tif 000015
【図１４】
2018036907.tif 000016
【図１５】
2018036907.tif 000017
【図１６】
2018036907.tif 000018
【図１７】
2018036907.tif 000019
【図１８】
2018036907.tif 000020
【図１９】
2018036907.tif 000021
【図２０】
2018036907.tif 000022
【図２１】
2018036907.tif 000023
【図２２】
2018036907.tif 000024
【図２３】
2018036907.tif 000025
【図２４】
2018036907.tif 000026